(57)【要約】【課題】複製防止用信号の有無について誤判定する可能性を低減する。【解決手段】入力端１０１には擬似同期パルスおよび擬似ＡＧＣパルスから構成された複製防止用信号が垂直帰線期間内の所定のラインに多重されたアナログ映像信号が入力される。擬似ＡＧＣパルス検出部１０７は擬似ＡＧＣパルスを検出する。擬似同期パルス検出部１０８は擬似同期パルスを検出する。複製防止用信号判定部１０９は、擬似ＡＧＣパルス検出部１０７および擬似同期パルス検出部１０８の検出結果に応じて、最終的に複製防止用信号の有無を判定する。【選択図】　　　図１
2004064369.tif 000002
【特許請求の範囲】
【請求項１】
擬似同期パルスおよび擬似ＡＧＣパルスから構成された複製防止用信号が垂直帰線期間内の所定のラインに多重されたアナログ映像信号が入力される入力端と、
前記入力端から入力されたアナログ映像信号の前記所定のラインから前記擬似同期パルスを検出する擬似同期パルス検出手段と、
前記入力端から入力されたアナログ映像信号の前記所定のラインから前記擬似ＡＧＣ（Ａｕｔｏ　Ｇａｉｎ　Ｃｏｎｔｒｏｌ）パルスを検出する擬似ＡＧＣパルス検出手段と、前記擬似同期パルス検出手段および前記擬似ＡＧＣパルス検出手段からの検出結果が入力され、最終的に前記複製防止用信号が前記アナログ映像信号に含まれているか否かを判定する判定手段とを備えたことを特徴とする複製防止用信号の検出装置。
【請求項２】
擬似同期パルスおよび擬似ＡＧＣパルスから構成された複製防止用信号が垂直帰線期間内の所定のラインに多重されたアナログ映像信号が入力される入力端と、
前記入力端から入力されたアナログ映像信号をアナログ−デジタル変換するＡ／Ｄ変換手段と、
前記Ａ／Ｄ変換手段から入力された映像信号の前記所定のラインから前記擬似同期パルスを検出する擬似同期パルス検出手段と、
前記Ａ／Ｄ変換手段から入力された映像信号の前記所定のラインから前記擬似ＡＧＣ（Ａｕｔｏ　Ｇａｉｎ　Ｃｏｎｔｒｏｌ）パルスを検出する擬似ＡＧＣパルス検出手段と、前記擬似同期パルス検出手段および前記擬似ＡＧＣパルス検出手段からの検出結果が入力され、最終的に前記複製防止用信号が前記アナログ映像信号に含まれているか否かを判定する判定手段とを備えたことを特徴とする複製防止用信号の検出装置。
【請求項３】
前記擬似ＡＧＣパルス検出手段は、
複数の比較レベルと前記デジタル化された映像信号とを比較することにより擬似同期パルスを検出することを特徴とする請求項１または２に記載の複製防止用信号の検出装置。
【請求項４】
前記擬似ＡＧＣパルス検出手段は、
前記デジタル化された映像信号と第１のレベルとを比較することにより前記擬似ＡＧＣパルスの数をカウントする第１のカウント手段と、
前記デジタル化された映像信号と前記第１よりも低い第２のレベルとを比較することにより前記擬似ＡＧＣパルスの数をカウントする第２のカウント手段と、前記第２のカウント手段が１よりも大きい所定の数カウントしたときに、前記第１のカウント手段が少なくとも１カウントしたときに前記擬似ＡＧＣパルスが含まれていると判定する判定手段とを備えたことを特徴とする請求項１または２に記載の複製防止用信号の検出装置。
【請求項５】
擬似同期パルスおよび擬似ＡＧＣパルスから構成された複製防止用信号が垂直帰線期間内の所定のラインに多重されたアナログ映像信号が入力端に入力され、
擬似同期パルス検出手段により前記入力端から入力されたアナログ映像信号の前記所定のラインから前記擬似同期パルスを検出し、
擬似ＡＧＣパルス検出手段により前記入力端から入力されたアナログ映像信号の前記所定のラインから前記擬似ＡＧＣ（Ａｕｔｏ　Ｇａｉｎ　Ｃｏｎｔｒｏｌ）パルスを検出し、
前記擬似同期パルス検出手段および前記擬似ＡＧＣパルス検出手段からの検出結果が入力され、最終的に前記複製防止用信号が前記アナログ映像信号に含まれているか否かを判定手段により判定することを特徴とする複製防止用信号の検出方法。
【発明の詳細な説明】
【０００１】
【発明の属する技術分野】
この発明は、例えば、映画などのビデオソフトが記録された記録済テープのアナログ映像信号中に、その複製を防止するために挿入された複製防止用信号が存在しているか否かを検出する複製防止用信号の検出装置および方法に関する。
【０００２】
【従来の技術】
家庭用ＶＴＲによって、映画などのビデオソフトが記録された記録済ビデオテープの複製（いわゆるダビング）を実質的に不能にする必要がある。このため映画会社はビデオ信号に何らかの複製防止処理を施してビデオテープへ記録している。
【０００３】
この複製防止処理の方式には複数の方式が存在している。どの方式にも共通しているのはアナログ映像記録装置の映像入力処理回路に設けられているＡＧＣ（Ａｕｔｏｍａｔｉｃ　Ｇａｉｎ　Ｃｏｎｔｒｏｌ）回路を意図的に誤動作させることで実現する。
【０００４】
図６（ａ）はＡＧＣ回路を誤動作させるための複製防止用信号が多重された垂直ブランキング期間内の、ある１ラインを示す図である。図６（ｂ）は複製防止用信号が多重される以前の１ラインを示す図である。
【０００５】
図６（ａ）に示すようにアナログ映像信号に挿入される複製防止用信号は、擬似ＡＧＣパルスおよび擬似同期パルスから構成されている。この複製防止用信号は、映像信号の垂直ブランキング期間内の所定のラインに挿入される。このアナログ映像信号に挿入される複製防止用信号の一例としては特開平５−１９１７７１号公報に開示されている。
【０００６】
この公知文献の方式では、擬似同期パルスと擬似ＡＧＣパルスとのペアを、５ペア繋げた複製防止用信号を垂直ブランキング期間内の連続する５ラインに挿入する。複製防止用信号を垂直ブランキング期間に挿入する理由は、複製防止用信号を映像信号の絵柄部分に直接挿入するとビデオソフトの内容自体に妨害を与える恐れがあるからである。
【０００７】
この複製防止用信号がアナログ映像信号に挿入されていると、ＶＴＲの記録系に設けられているＡＧＣ（Ａｕｔｏ　Ｇａｉｎ　Ｃｏｎｔｒｏｌ）回路は、擬似同期パルスの尖頭値から擬似ＡＧＣパルス迄を同期パルスの大きさと判断して、入力ビデオ信号のレベルを利得制御する。例えば図６（ａ）に示した信号の例では、擬似同期パルスの尖頭値から擬似ＡＧＣパルス迄のレベルが標準レベルの４倍になっているものとして利得制御する。結果、記録される映像信号は、実際の１／４のレベルに減衰されたものとなる。このため上記のように記録した記録媒体からは低品位、不安定な画像しか得られない。即ち、実質的に同じ複製を防止することができる。
【０００８】
従来の複製防止用信号の検出装置においては、図６（ａ）に示す擬似同期パルスを検出して複製防止用信号の有無を判定している。
【０００９】
【発明が解決しようとする課題】
従来の複製防止用信号の検出装置においては、擬似同期パルスを検出することにより複製防止用信号の有無を判定している。しかし、複製防止用信号の有無を誤判定する可能性があるという問題があった。
【００１０】
この発明は、擬似同期パルスの数を数えると共に、擬似ＡＧＣパルスの数も数える。そしてこの数えた擬似同期パルスの数および擬似ＡＧＣパルスの数の両方を用いて複製防止用信号の有無を判定する。これにより複製防止用信号の有無について誤判定する可能性を低減することを目的とする。
【００１１】
【課題を解決するための手段】
上記の目的を達成するために、この発明においては、擬似同期パルスおよび擬似ＡＧＣパルスから構成された複製防止用信号が垂直帰線期間内の所定のラインに多重されたアナログ映像信号が入力される入力端と、前記入力端から入力されたアナログ映像信号の前記所定のラインから前記擬似同期パルスを検出する擬似同期パルス検出手段と、前記入力端から入力されたアナログ映像信号の前記所定のラインから前記擬似ＡＧＣ（Ａｕｔｏ　Ｇａｉｎ　Ｃｏｎｔｒｏｌ）パルスを検出する擬似ＡＧＣパルス検出手段と、前記擬似同期パルス検出手段および前記擬似ＡＧＣパルス検出手段からの検出結果が入力され、最終的に前記複製防止用信号が前記アナログ映像信号に含まれているか否かを判定する判定手段とを備えたことを特徴とする複製防止用信号の検出装置を提供する。
【００１２】
また、上記の目的を達成するために、この発明においては、擬似同期パルスおよび擬似ＡＧＣパルスから構成された複製防止用信号が垂直帰線期間内の所定のラインに多重されたアナログ映像信号が入力端に入力され、擬似同期パルス検出手段により前記入力端から入力されたアナログ映像信号の前記所定のラインから前記擬似同期パルスを検出し、擬似ＡＧＣパルス検出手段により前記入力端から入力されたアナログ映像信号の前記所定のラインから前記擬似ＡＧＣ（Ａｕｔｏ　Ｇａｉｎ　Ｃｏｎｔｒｏｌ）パルスを検出し、前記擬似同期パルス検出手段および前記擬似ＡＧＣパルス検出手段からの検出結果が入力され、最終的に前記複製防止用信号が前記アナログ映像信号に含まれているか否かを判定手段により判定することを特徴とする複製防止用信号の検出方法を提供する。
【００１３】
【発明の実施の形態】
以下、本発明の複製防止用信号の検出装置をライン入力端子付き光ディスクレコーダに適用した場合について図面を参照しながら詳細に説明する。
図１は、本発明の複製防止用信号の検出装置を用いた光ディスクレコーダの機能ブロック図である。
図１において、１００は光ディスクレコーダ、１０１は外部からのアナログ映像信号が入力される入力端子、１０２はアナログ−デジタル変換するＡ／Ｄ変換部、１０３はデジタル変換された映像信号を記録するための変換処理をする映像信号処理部、１０４は光ディスク１０５へ映像信号を記録／再生する記録／再生部、１０５は記録・再生可能な光ディスク、１０６は入力されたアナログ映像信号から水平同期信号および垂直同期信号を検出する同期検出部、１０７は擬似ＡＧＣパルスを検出する擬似ＡＧＣパルス検出部、１０８は擬似同期パルスを検出する擬似同期パルス検出部、１０９は複製防止用信号の有無を判定する複製防止用信号判定部、１１０は光ディスクレコーダ１００全体を制御する制御部からなる。
【００１４】
なお、ここでは擬似ＡＧＣパルス検出部１０７、擬似同期パルス検出部１０８、複製防止用信号判定部１０９、制御部１１０は別の機能ブロックとして記載したが、実際には１つのマイコン１１１（実際に演算を実行するＣＰＵ、プログラム等を記録しておくＲＯＭ、作業用領域として用いるＲＡＭ）により複数の機能を実現している。
【００１５】
Ａ／Ｄ変換部１０２は、入力端子１０１から入力されたアナログ映像信号を図２に示す映像信号のフルスケールでＡ／Ｄ変換（８ビット）し、このＡ／Ｄ変換したデジタル映像信号（０〜２５６の値）を映像信号処理部１０３へ出力する。
【００１６】
映像信号処理部１０３は、Ａ／Ｄ変換部１０２から入力されたデジタル映像信号を、例えばＭＰＥＧ２ビデオのフォーマットで符号化し、この符号化されたデジタル映像信号を記録／再生部１０４へ出力する。
【００１７】
記録／再生部１０４は、映像信号処理部１０３から入力されたデジタル映像信号を、光ディスク１０５へ記録するためのフォーマット変換処理をし、このフォーマット変換処理したデジタル映像信号を光ディスク１０５へ記録する。
【００１８】
同期検出部１０６は、入力端子１０１に入力されたアナログ映像信号から水平同期信号および垂直同期信号を分離し、この分離した水平同期信号（Ｈ）および垂直同期信号（Ｖ）を擬似ＡＧＣパルス検出部１０７および擬似同期パルス検出部１０８へ出力する。
【００１９】
擬似ＡＧＣパルス検出部１０７は、同期検出部１０６から入力された水平同期信号および垂直同期信号に基づき、規格上５本存在する擬似ＡＧＣパルスが、規格上正しく５水平走査期間連続して挿入されているか否かを判定する。
【００２０】
擬似同期パルス検出部１０８は、同期検出部１０６から入力された水平同期信号および垂直同期信号に基づいたタイミングで動作する。
擬似同期パルス検出部１０８は、１水平走査期間当たり５つの擬似同期パルスが５水平走査期間連続して挿入されているか否かを、入力端子１０１に入力されたアナログ映像信号から判定する。
【００２１】
複製防止用信号判定部１０９は、擬似ＡＧＣパルス検出部１０７の判定結果および擬似同期パルス検出部１０８の判定結果に応じて、最終的に複製防止用信号が含まれているか否かを判定する。実際には複製防止用信号判定部１０９は、擬似ＡＧＣパルスが正しく５水平走査期間連続して挿入されていると共に、１水平走査期間当たり５つの擬似同期パルスが５水平走査期間連続して挿入されているときにだけ、複製防止用信号が挿入されていると判定する。複製防止用信号判定部１０９は、この判定結果を制御部１１０へ出力する。
【００２２】
制御部１１０は、複製防止用信号判定部１０９から入力された最終的な複製防止用信号有無の判定結果に基づき、記録／再生部１０４を制御する。制御部１１０は、複製防止用信号判定部１０９から複製防止用信号が含まれていることを示す判定結果が入力されたとき記録／再生部１０４の記録動作を停止させる。反対に、制御部１１０は、複製防止用信号判定部１０９から複製防止用信号が含まれていないことを示す判定結果が入力されたとき記録／再生部１０４の記録動作を停止させない。
【００２３】
次に図２を用いて擬似ＡＧＣパルス検出部１０７がどのようにして垂直ブランキング期間内の、ある１ラインに挿入された擬似ＡＧＣパルスを検出するかを説明する。
【００２４】
図２に示すように、複製防止用信号の規格上、擬似ＡＧＣパルスのレベルは映像信号のフルスケールの８０％以上と決っているものとする。映像信号のフルスケールの値を２５５とした場合、フルスケールの値の８０％の値は２０４である。
【００２５】
なお、例として擬似ＡＧＣパルスのレベルは映像信号のフルスケールの８０％としたが、規格によっては必ずしも８０％でない場合もある。
擬似ＡＧＣパルス検出部１０７は、同期検出部１０６からの水平同期信号に基づきＡ／Ｄ変換部１０２から入力されたデジタル映像信号を取り込む。このとき擬似ＡＧＣパルス検出部１０７は、複製防止用信号の規格上において複製防止用信号が挿入されているラインについてデジタル映像信号を取り込む。
【００２６】
この発明においては複製防止用信号は、図２に示すように擬似ＡＧＣパルスの幅は約３μｓと決まっている。本発明の擬似ＡＧＣパルス検出部１０７は、前記３μｓの期間のうち、中央の約１．５μｓの期間ｂ１〜ｂ５全ての期間にサンプルされた値が全て２０４以上（フルスケールの値の８０％以上）であり、かつ期間ａ１〜ａ５のそれぞれの期間において値が２０４未満のサンプルが存在しているとき、このＡＧＣパルスは存在していと判定する。そしてこれを１水平走査期間に渡ってカウントすることにより、１水平走査期間内に何本の擬似ＡＧＣパルスが存在しているのか知ることができる。
【００２７】
なお、例として擬似ＡＧＣパルスの数と擬似同期信号の数は５本としたが、規格によっては必ずしも５本でない場合もある。
次に、擬似同期パルス検出部１０８がどのようにして垂直ブランキング期間内の、ある１ラインに挿入された擬似同期パルスを検出するかについて説明する。擬似同期パルス検出部１０８は、同期検出部１０６から正しい位置に存在する水平同期信号を得て、入力端子１０１から入力された映像信号から本当の同期信号をマスクする。これにより擬似同期パルス検出部１０８は、映像信号の１水平帰線期間において同期パルスの数を数えることにより、１水平走査期間内に幾つの擬似同期パルスが存在しているか知ることができる。
【００２８】
例えば図２の場合、擬似同期パルス検出部１０８は、期間ａ１〜ａ５のそれぞれの期間の後半に存在している同期パルスを数えることになるので、この１水平帰線期間内には５つの擬似同期パルスが存在していることを検出することができる。
【００２９】
なお、この擬似ＡＧＣパルス検出部１０７を含めた機能については、実際には１つのマイコン１１１で実現している。
次に、複製防止用信号の検出装置における、複製防止用信号が含まれているか否かを判定する動作について図３を用いて詳細に説明する。
ここでは擬似ＡＧＣパルス検出部１０７、擬似同期パルス検出部１０８、複製防止用信号判定部１０９、制御部１１０と分けて記載するのではなく、マイコン１１１（実際に演算を実行するＣＰＵ、プログラム等を記録しておくＲＯＭ、作業用領域として用いるＲＡＭ）がプログラムを実行することにより機能を実現しているものとして動作の説明を続ける。
【００３０】
図３は、本発明の複製防止用信号の検出装置の判定動作を説明するためのフローチャートである。
図３において、マイコン１１１は、まず変数ｎを１にセットする（ステップＳ３０１）。
次に、マイコン１１１は、複製防止用信号が挿入されている５水平走査期間のデータをＲＡＭに書き込む（ステップＳ３０２）。
次に、マイコン１１１は、映像信号のフルスケールに対する８０％の値を閾値とし、擬似ＡＧＣパルス数の数が５本存在しているか否かを判定し（ステップＳ３０３）、Ｙｅｓの場合には次のステップＳ３０５へ進み、Ｎｏの場合には複製防止用信号ではないと判定する（ステップＳ３０９）。
【００３１】
このステップＳ３０３の処理が擬似ＡＧＣパルス検出部１０７の機能ブロックに相当する。
次に、マイコン１１１は、擬似同期パルス数が５つ存在しているか否かを判定し（ステップＳ３０５）、Ｙｅｓの場合には次のステップＳ３０６へ進み、Ｎｏの場合には前記ステップＳ３０９にて複製防止用信号ではないと判定する。
【００３２】
このステップＳ３０５の処理が擬似同期パルス検出部１０８の機能ブロックに相当する。
次に、マイコン１１１は、変数ｎが５か否かを判定する（ステップＳ３０６）。このステップＳ３０６でｎが５と等しくない場合には、まだ５水平走査期間連続して上記ステップＳ３０３およびＳ３０５の条件を満たしたわけではないので、まだ次のフレームを処理する必要があり、変数ｎに１加算し（ステップＳ３０７）、ステップＳ３０２へジャンプする。また、このステップＳ３０６でｎ＝５の場合、５水平走査期間連続に渡って上記ステップＳ３０３およびＳ３０５の条件を満たしたことになるので、最終的に複製防止用信号ありと判定する（ステップＳ３０８）。
【００３３】
このステップＳ３０８の処理が複製防止用信号判定部１０９の機能ブロックに相当する。
即ち、マイコン１１１は、
（１）１水平走査期間に映像信号のフルスケールに対する８０％のレベルの擬似ＡＧＣパルスが１水平走査期間に５本あるのが５フレーム連続、
（２）かつ５本の擬似同期パルスが５ライン連続、
のときに複製防止用信号有りと判定する。
上記の例では、複製防止用信号の擬似ＡＧＣパルスの大きさは、映像信号のフルスケールに対する８０％の１種類に固定されている。しかし、アナログ映像信号の波形が崩れたりノイズが混入した場合、複製防止用信号の擬似ＡＧＣパルスが図４の期間ｂ１〜期間ｂ５のそれぞれで、必ず８０％の値が得られるとは限らない。
【００３４】
これを防ぐため図４に示すように期間ｂ１〜期間ｂ５のそれぞれで映像信号のフルスケールの６０％で比較した場合には全てのサンプルデータが６０％に達していると共に、他の期間ａ１〜ａ５では６０％よりも低くなっている。更に、期間ｂ１〜期間ｂ５の各々で映像信号の少なくとも１つのサンプルがフルスケールの８０％に達していると共に、他の期間ａ１〜ａ５では８０％よりも低くなっている。
【００３５】
このようになっていた場合に複製防止用信号がありと判定する。
このように擬似ＡＧＣパルス検出部１０７は、擬似ＡＧＣ信号を複数のレベル（映像信号のフルスケールの６０％および８０％）で比較し、最終的に擬似ＡＧＣ信号の有無を判定しているので、アナログ映像信号の波形が崩れても正しい判定をすることができる。
【００３６】
次に、この図４に示すように擬似ＡＧＣ信号を複数のレベルで比較する場合の、本発明の複製防止用信号の検出装置の判定動作を説明する。
図５は、本発明の複製防止用信号の検出装置の判定動作を説明するためのフローチャートである。
図５において、マイコン１１１は、まず変数ｎを１にセットする（ステップＳ３０１）。
次に、マイコン１１１は、複製防止用信号が挿入されている５水平走査期間のデータをＲＡＭに書き込む（ステップＳ３０２）。
次に、マイコン１１１は、映像信号のフルスケールに対する６０％の値を閾値とし、擬似ＡＧＣパルス数の数が５本存在しているか否かを判定し（ステップＳ５０３）、Ｙｅｓの場合には次のステップＳ５０４へ進み、Ｎｏの場合には複製防止用信号ではないと判定する（ステップＳ３０９）。
【００３７】
次に、マイコン１１１は、映像信号のフルスケールに対する８０％の値を閾値とし、擬似ＡＧＣパルス数の数が５本中少なくとも１本存在しているか否かを判定し（ステップＳ５０４）、Ｙｅｓの場合には次のステップＳ３０５へ進み、Ｎｏの場合には前記ステップＳ３０９にて複製防止用信号ではないと判定する。
【００３８】
このステップＳ５０３およびステップＳ５０４の処理が擬似ＡＧＣパルス検出部１０７の機能ブロックに相当する。
このように擬似ＡＧＣパルスについて映像信号のフルスケールに対する６０％と８０％の両方のレベルについて有無を判定している。これは複製防止用信号の規格上擬似ＡＧＣパルスのレベルは映像信号のフルスケールに対する８０％であるが、５本全て８０％のレベルが得られるとは限らないからである。
【００３９】
次に、マイコン１１１は、擬似同期パルス数が５つ存在しているか否かを判定し（ステップＳ３０５）、Ｙｅｓの場合には次のステップＳ３０６へ進み、Ｎｏの場合には前記ステップＳ３０９にて複製防止用信号ではないと判定する。
【００４０】
このステップＳ３０５の処理が擬似同期パルス検出部１０８の機能ブロックに相当する。
以降の動作は図３と同じなので説明は省略する。
以上説明した通り、全て６０％で判定せず、８０％のサンプルを求めているのは、ノイズだった場合に最終的に複製防止用信号であると誤判定するのを防ぐためである。
【００４１】
即ち、マイコン１１１は、
（１）１水平走査期間に映像信号のフルスケールに対する６０％のレベルの擬似ＡＧＣパルスが１水平走査期間に５本あるのが５フレーム連続、
（２）、（１）の各水平走査期間について５本存在する擬似ＡＧＣパルスの内１本は映像信号のフルスケールに対して８０％のレベルである、
（３）かつ５本の擬似同期パルスが５ライン連続、
のときに複製防止用信号有りと判定する。
なお、同期検出部１０６の機能についてもマイコン１１１で処理するようにしても良い。この場合、同期については一旦Ａ／Ｄ変換部１０２でデジタル化された映像信号により同期を検出する。このデジタル化してから同期検出する技術については、従来ある技術で実現することはできる。
【００４２】
【発明の効果】
以上説明した通り、本発明によれば、擬似同期パルスの数を数えると共に、擬似ＡＧＣパルスの数も数える。そしてこの数えた擬似同期パルスの数および擬似ＡＧＣパルスの数の両方を用いて複製防止用信号の有無を判定する。これにより複製防止用信号の有無について誤判定する可能性を低減することができる。
【図面の簡単な説明】
【図１】本発明の複製防止用信号の検出装置を用いた光ディスクレコーダの機能ブロック図。
【図２】アナログ映像信号に多重された複製防止用信号の波形図を示す図。
【図３】本発明の複製防止用信号の検出装置の判定動作を説明するためのフローチャート。
【図４】アナログ映像信号に多重された複製防止用信号の波形図を示す図。
【図５】本発明の複製防止用信号の検出装置の判定動作を説明するためのフローチャート。
【図６】（ａ）はＡＧＣ回路を誤動作させるための複製防止用信号が多重された垂直ブランキング期間内の、ある１ラインを示す図。（ｂ）は複製防止用信号が多重される以前の１ラインを示す図。
【符号の説明】
１００…光ディスクレコーダ、１０１…入力端子、１０２…Ａ／Ｄ変換部、１０３…映像信号処理部、１０４…記録／再生部、１０５…光ディスク、１０６…同期検出部、１０７…擬似ＡＧＣパルス検出部、１０８…擬似同期パルス検出部、１０９…複製防止用信号判定部、１１０…制御部、１１１…マイコン。
【図１】
2004064369.tif 000003
【図２】
2004064369.tif 000004
【図３】
2004064369.tif 000005
【図４】
2004064369.tif 000006
【図５】
2004064369.tif 000007
【図６】
2004064369.tif 000008